(57)【要約】【課題】コンクリート開口型枠の大きさに容易に対応でき、強固かつ簡易に取り付けることのできる開口養生用手摺を提供する。【解決手段】コンクリート開口型枠２００に取り付けられる開口養生用手摺１００は、コンクリート開口型枠２００の立ち上がり部における互いに対向する外壁面２０２及び内壁面２０３を挟んで配される一対の第一の挟持板１１及び第二の挟持板１２と、両挟持板１１，１２間に移動自在に設けられて第二の挟持板１２とともに両壁面２０２，２０３を挟持する調節板３１とを有する挟持具１と、挟持具１に設けられて、コンクリート開口型枠２００の上端部から上方に立設される手摺部２とを備える。【選択図】図１
2007262731.tif 000002
【特許請求の範囲】
【請求項１】
コンクリート開口型枠に取り付けられる開口養生用手摺であって、
前記コンクリート開口型枠の立ち上がり部における互いに対向する両壁面を挟んで配される一対の挟持部と、前記両挟持部間に移動自在に設けられて前記一方の挟持部とともに前記両壁面を挟持する調節部とを有する挟持具と、
前記挟持具に設けられて、前記コンクリート開口型枠の上端部から上方に立設される手摺部とを備えていることを特徴とする開口養生用手摺。
【請求項２】
コンクリート開口型枠に取り付けられる開口養生用手摺であって、
前記コンクリート開口型枠のスラブにおいて前記コンクリート開口型枠の上端面と下端面とを挟んで配される一対の挟持部と、前記両挟持部間に移動自在に設けられて前記上端面と下端面とを前記一方の挟持部とともに挟持する調節部とを有する挟持具と、
前記挟持具に設けられて、前記コンクリート開口型枠の上端部から上方に立設される手摺部とを備えていることを特徴とする開口養生用手摺。
【請求項３】
前記手摺部のうち、開口養生用手摺全体の重心となる位置に取っ手が設けられていることを特徴とする請求項１又は２に記載の開口養生用手摺。
【請求項４】
前記手摺部には、足場用パイプを組み付けるためのクランプ部材が設けられていることを特徴とする請求項１〜３のいずれか一項に記載の開口養生用手摺。
【請求項５】
前記クランプ部材は、前記手摺部に対して回転自在とされていることを特徴とする請求項４に記載の開口養生用手摺。
【発明の詳細な説明】
【技術分野】
【０００１】
本発明は、コンクリート開口型枠に取り付けられる開口養生用手摺に関する。
【背景技術】
【０００２】
従来、コンクリート駆体の開口部を形成するための開口型枠に取り付けられる養生用の手摺は、予め、床スラブ用の型枠の開口端部にＬ字型の止め具を固定しておき、止め具でインサートが型枠の内側で上向きとなるように固定し、このインサート表面を塞いだ後、型枠内にコンクリートを打設して、養生後インサートに長ボルトを螺合し、螺合した長ボルトに取り付けることが開示されている（例えば、特許文献１参照）。
【特許文献１】特開平５−９８８００号公報
【発明の開示】
【発明が解決しようとする課題】
【０００３】
しかしながら、上記特許文献１に記載の養生用の手摺は、型枠内にインサートが上向きとなるように止め具で固定した後、インサートに長ボルトを螺合させて、長ボルトに手摺を固定しなければならず、部品点数が多く、取付作業が多いことから施工に手間がかかっていた。また、型枠の大きさに合わせて自在に取り付けることのできる手摺が要望されていた。
本発明は、上記事情に鑑みてなされたもので、コンクリート開口型枠の大きさに容易に対応でき、強固かつ簡易に取り付けることのできる開口養生用手摺を提供することを目的としている。
【課題を解決するための手段】
【０００４】
上記課題を解決するため、請求項１の発明は、例えば、図１、図２に示すように、コンクリート開口型枠２００に取り付けられる開口養生用手摺１００であって、
前記コンクリート開口型枠の立ち上がり部における互いに対向する両壁面（例えば、外壁面２０２、内壁面２０３）を挟んで配される一対の挟持部（例えば、第一の挟持板１１、第二の挟持板１２）と、前記両挟持部間に移動自在に設けられて前記一方の挟持部とともに前記両壁面を挟持する調節部（例えば、調節板３１）とを有する挟持具１と、
前記挟持具に設けられて、前記コンクリート開口型枠の上端部から上方に立設される手摺部２とを備えていることを特徴とする。
【０００５】
請求項１の発明によれば、コンクリート開口型枠の立ち上がり部における互いに対向する両壁面を一方の挟持部と調節部とで挟み、調節部を一方の挟持部に向けて移動させることによって両壁面を強固かつ簡易に挟持することができる。したがって、コンクリート開口型枠の厚みに容易に対応して取り付けることができる。
また、挟持具には手摺部が設けられているので、挟持具をコンクリート開口型枠に取り付けるだけで一度に手摺部を取り付けることができ手間を省けることから、施工の簡略化につながる。
【０００６】
請求項２の発明は、例えば、図３、図４に示すように、コンクリート開口型枠２００Ａに取り付けられる開口養生用手摺１００Ａであって、
前記コンクリート開口型枠のスラブにおいて前記コンクリート開口型枠の上端面２０４Ａと下端面２０５Ａとを挟んで配される一対の挟持部（例えば、第一の挟持板１１Ａ、第二の挟持板１２Ａ）と、前記両挟持部間に移動自在に設けられて前記上端面と下端面とを前記一方の挟持部とともに挟持する調節部（例えば、調節板３１Ａ）とを有する挟持具１Ａと、
前記挟持具に設けられて、前記コンクリート開口型枠の上端部から上方に立設される手摺部２Ａとを備えていることを特徴とする。
【０００７】
請求項２の発明によれば、コンクリート開口型枠のスラブにおける下端面と上端面とを一方の挟持部と調節部とで挟み、調節部を一方の挟持部に向けて移動させることによって上下端面を強固かつ簡易に挟持することができる。したがって、コンクリート開口型枠の高さに容易に対応して取り付けることができる。
また、挟持具には手摺部が設けられているので、挟持具をコンクリート開口型枠に取り付けるだけで一度に手摺部を取り付けることができ手間を省けることから、施工の簡略化につながる。
【０００８】
請求項３の発明は、例えば、図１、図２に示すように、請求項１又は２に記載の開口養生用手摺において、
前記手摺部のうち、開口養生用手摺全体の重心となる位置に取っ手５が設けられていることを特徴とする。
【０００９】
請求項３の発明によれば、重心位置に取っ手が設けられているので、取っ手を使用して容易に持ち運ぶことができる。
【００１０】
請求項４の発明は、例えば、図１、図２に示すように、請求項１〜３のいずれか一項に記載の開口養生用手摺において、
前記手摺部には、足場用パイプＰを組み付けるためのクランプ部材４１１が設けられていることを特徴とする。
【００１１】
請求項４の発明によれば、手摺部にクランプ部材が設けられているので、クランプ部材で足場用パイプを支持して容易に取り付けることができる。
【００１２】
請求項５の発明は、例えば、図１、図２に示すように、請求項４に記載の開口養生用手摺において、
前記クランプ部材は、前記手摺部に対して回転自在とされていることを特徴とする。
【００１３】
請求項５の発明によれば、クランプ部材が手摺部に対して回転自在とされているので、クランプ部材を回転させることによって、足場用パイプを手摺部に対して例えば平行又は直交する方向に取り付けることができ、足場用パイプの組み付け自由度が増す。
【発明の効果】
【００１４】
本発明によれば、調節部を一方の挟持部に向けて移動調節することによってコンクリート開口型枠の立ち上がり部又はスラブにおける互いに対向する両壁面を強固かつ簡易に挟持することができ、コンクリート開口型枠の厚みや高さに容易に対応できる。
【発明を実施するための最良の形態】
【００１５】
以下、本発明の第一及び第二の実施の形態について図面を参照しながら説明する。
［第一の実施の形態］
図１は、本発明の第一の実施の形態に係る開口養生用手摺１００がコンクリート開口型枠２００に取り付けられた状態を示す外観斜視図、図２(a)は、開口養生用手摺１００の斜視図、図２(b)は、調節板３１とボルト３２とが溶接された状態を示した斜視図である。
図１及び図２に示すように、開口養生用手摺１００は、コンクリート開口型枠２００に取り付けられて、コンクリート開口型枠２００の外側に打設されたコンクリート養生の際の足場用のパイプＰが組み付けられるものである。コンクリート開口型枠２００は、中央に平面視略矩形状の開口部２０１が形成された矩形枠状の型枠である。
開口養生用手摺１００は、コンクリート開口型枠２００の立ち上がり部を挟持する断面視略コ字型の挟持具１と、挟持具１に設けられてコンクリート開口型枠２００の上端面から上方に立設される手摺部２とを備えている。
挟持具１は、コンクリート開口型枠２００の上端部において、コンクリート開口型枠２００の外壁面２０２と、開口部２０１を形成する内壁面２０３とを挟んで互いに対向する一対の挟持板（挟持部）１１，１２と、これら両挟持板１１，１２を互いに平行となるように連結する連結部１３と、両挟持板１１，１２間に各挟持板１１，１２と平行となるように移動自在に設けられてコンクリート開口型枠２００の外壁面２０２と内壁面２０３とを一方の挟持板（後述の第二の挟持板１２）とともに挟持する調節板（調節部）３１と、調節板３１を移動自在に調節するボルト３２とから構成されている。そして、一対の挟持板１１，１２と連結部１３とによって断面視略コ字型に形成されている。
【００１６】
一対の挟持板１１，１２は、コンクリート開口型枠２００の外壁面２０２側に配される第一の挟持板１１と、開口部２０１を形成する内壁面２０３側に配される第二の挟持板１２とを有し、第一の挟持板１１には、調節板３１を移動自在に支持するボルト３２が螺合するネジ穴（図示しない）が形成されている。
【００１７】
調節板３１は、略円板状をなしており、その裏面（第二の挟持板１２側を向く面）には、多数の凹凸３４が形成されている。多数の凹凸３４は、コンクリート開口型枠２００の外壁面２０２に接触して調整板３１がずれないように強固に固定するものである。多数の凹凸３４としては、例えば溝状であっても良いし、微細な突起等であっても良い。
また、調節板３１の表面（第一の挟持板１１側を向く面）には、ボルト３２の一端部が溶接されており、また、このボルト３２が第一の挟持板１１に形成されたねじ穴に螺合することにより、調節板３１が第一の挟持板１１に対して固定されている。すなわち、第一の挟持板１１に対するボルト３２の締め付け位置を変えることで調節板３１の位置が調節されるようになっている。なお、ボルト３２の他端部（調節板３１と反対側の端部）には、スパナ（図示しない）で締め付け可能なように六角形状の頭部３３が一体に形成されている。
調節板３１による調節幅、すなわち、調節板３１の裏面と第二の挟持板１２との間隔Ｍが１２０〜３００ｍｍとされている。
【００１８】
また、連結部１３には、連結部１３に対して垂直上方に立設する手摺部２が取り付けられている。手摺部２は、棒状部材であって、手摺部２の上端部及び中央部に足場用パイプＰ，Ｐを把持するクランプ４，４がそれぞれ取り付けられている。クランプ４は周知の自在型クランプであり、二つのクランプ部材４１１，４１２が背中合わせとなるように配置され、一方のクランプ部材４１２の軸芯方向Ｘに対して他方のクランプ部材４１１の軸芯方向Ｙが平行又は垂直に回転するように連結ピン（図示しない）等により連結されている。
パイプＰを把持するクランプ部材４１１は、側断面視略Ｌ字型のホルダー４２１と、ホルダー４２１の一端部にピン４３１を介して回動自在に連結された把持アーム４４１と、ホルダー４２１の他端部にピン４７１を介して回動自在に連結された締付ボルト４５１と、締付ボルト４５１に螺合するとともに把持アーム４４１の係合穴に係合自在なナット４６１とから構成されている。そして、締付ボルト４５１を係合穴に嵌めてナット４６１で締め付けることにより、ホルダー４２１と把持アーム４４１とによって形成されるリング内でパイプＰが把持されるようになっている。
また、手摺部２が直接挿通されたクランプ部材４１２は、クランプ部材４１１と同様の構成をなしており、ホルダー４２２、把持アーム４４２、締付ボルト４５２、ナット４６２、ピン４７２から構成されている。したがって、手摺部２が一方のクランプ部材４１２によって把持され、他方のクランプ部材４１１に足場用パイプＰが把持され、足場用パイプＰは手摺部２の長手方向に対して平行又は垂直となるように回転自在となっている。
【００１９】
また、手摺部２のうち、開口養生用手摺１００全体の重心となる位置に取っ手５が取り付けられている。取っ手５は、手摺部２の長手方向に沿って延在する長尺な薄板を手摺部２の外周面から突出するように折り曲げて形成されている。
【００２０】
次に、上述の開口養生用手摺１００の取付方法について説明する。
コンクリート開口型枠２００の立ち上がり部において、コンクリート開口型枠２００の厚み方向に連結部１３が跨るように調節板３１と、第二の挟持板１２との間にコンクリート開口型枠２００が位置するように配置する。次いで、ボルト３２をスパナ等を使用して
第一の挟持板１１のネジ穴にネジ込んでいき、調節板３１の多数の凹凸３４をコンクリート開口型枠２００の外壁面２０２に当接させる。このようにして第二の挟持板１２及び調節板３２をコンクリート開口型枠２００の内壁面２０３及び外壁面２０２に固定して取り付ける。また、手摺部２に固定されたクランプ部材４１２と異なる側のクランプ部材４１１のホルダー４２１と把持アーム４４１との間に足場用パイプＰを配置して、把持アーム４４１の係合穴に締付ボルト４５１を係合させてナット４６１で締め付けることにより足場用パイプＰを把持させ、足場用パイプＰを組み付ける。
なお、コンクリート開口型枠２００の外側にはコンクリートを打設して、コンクリート養生後に、ボルト３２を緩めて調節板３１をコンクリート開口型枠２００から外すことによって容易に開口養生用手摺１００を取り外すことができる。
【００２１】
以上、本発明の第一の実施の形態によれば、コンクリート開口型枠２００の立ち上がり部における互いに対向する両壁面２０２，２０３を第二の挟持板１２と調節板３１とで挟み、調節板３１を第二の挟持板１２に向けてボルト３２をねじ込んで移動調節することによって両壁面２０２，２０３を強固かつ簡易に挟持することができる。したがって、コンクリート開口型枠２００の厚みに容易に対応して取り付けることができる。
また、挟持具１には手摺部２が設けられているので、挟持具１をコンクリート開口型枠２００に取り付けるだけで一度に手摺部２を取り付けることができ、従来に比して施工を簡略化できる。
開口養生用手摺１００の重心位置に取っ手５が設けられているので、取っ手５を使用して容易に持ち運ぶことができる。
手摺部２にクランプ部材４１１が設けられているので、クランプ部材４１１で足場用パイプＰを容易に把持させることができる。しかも、クランプ部材４１１が手摺部２に対して回転自在とされているので、足場用パイプＰを手摺部２に対して平行又は直交する方向に取り付けることができ、足場用パイプＰを自由に組み付けることができる。
【００２２】
［第二の実施の形態］
図３は、第二の実施の形態に係る開口養生用手摺１００Ａがコンクリート開口型枠２００Ａに取り付けられた状態を示す外観斜視図、図４は、開口養生用手摺１００Ａの斜視図である。
図３及び図４に示すように、開口養生用手摺１００Ａは、第一の実施の形態の開口養生用手摺１００と異なり、コンクリート開口型枠２００Ａのスラブに取り付けられる場合であり、連結部１３Ａではなく、第一の挟持板１１Ａに手摺部２Ａが立設されているものである。
開口養生用手摺１００Ａは、コンクリート開口型枠２００Ａのスラブを挟持する断面視略コ字型の挟持具１Ａと、挟持具１Ａに設けられてコンクリート開口型枠２００Ａの上端面から上方に立設される手摺部２Ａとを備えている。
挟持具１Ａは、コンクリート開口型枠２００Ａのスラブにおいて、コンクリート開口型枠２００Ａの上端面２０４Ａと下端面２０５Ａとを挟んで互いに対向する一対の挟持板（挟持部）１１Ａ，１２Ａと、これら両挟持板１１Ａ，１２Ａを互いに平行となるように連結する連結部１３Ａと、両挟持板１１Ａ，１２Ａ間に各挟持板１１Ａ，１２Ａと平行となるように移動自在に設けられてコンクリート開口型枠２００Ａの上端面２０４Ａと下端面２０５Ａとを一方の挟持板（第二の挟持板１２Ａ）とともに挟持する調節板（調節部）３１Ａと、調節板３１Ａを移動自在に調節するボルト３２Ａとから構成されている。そして、一対の挟持板１１Ａ，１２Ａと連結部１３Ａとによって断面視略コ字型に形成されている。
【００２３】
挟持板１１Ａ，１２Ａ、連結部１３Ａ及び調節板３１Ａは、第一の実施の形態の挟持板１１，１２、連結部１３及び調節板３１と同様の構成をなしている。また、連結部１３Ａが手摺部２Ａに立設されている点で第一の実施の形態の手摺部２と異なっている。また、手摺部２Ａには、第一の実施の形態と同様に足場用パイプＰを把持するクランプ４Ａや取っ手５Ａが取り付けられている。
なお、このスラブ用の開口養生用手摺１００Ａは、調節板３１Ａによる調節幅Ｎは、１５０〜３００ｍｍとされている。その他、第一の実施の形態と同様の構成部分については同様の数字に英字Ａを付してその説明を省略する。
【００２４】
以上、本発明の第二の実施の形態によれば、コンクリート開口型枠２００Ａのスラブにおける互いに対向する上下端面２０４Ａ，２０５Ａを第二の挟持板１２Ａと調節板３１Ａとで挟み、調節板３１Ａを第二の挟持板１２Ａに向けてボルト３２Ａをねじ込んで移動調節することによって上下端面２０４Ａ，２０５Ａを強固かつ簡易に挟持することができる。したがって、コンクリート開口型枠２００Ａの高さに容易に対応して取り付けることができる。
その他、第一の実施の形態と同様の構成部分については同様の効果を得ることができる。
【００２５】
なお、本発明は、上記実施の形態に限定されるものではなく、その要旨を逸脱しない範囲で適宜変更可能である。
例えば、上記クランプ４，４Ａは、二つのクランプ部材４１１，４１２、４１１Ａ，４１２Ａが背中合わせに配置されて互いに回転自在に連結されるものとしたが、これに限らず足場用パイプＰが把持される一つのクランプ部材４１１，４１１Ａのみ備えたものとし、このクランプ部材４１１，４１１Ａが手摺部２，２に回転自在となるように取り付けられているものとしても良い。
また、クランプ４，４Ａが予め手摺部２，２に一体に形成されているものとすれば、後で手摺部２，２にクランプ４，４Ａを取り付ける必要が無くなるため、施工が容易となる。
【００２６】
また、図５に示すように手摺部２Ｂの上端部外周面に、一般の単管継手６Ｂを取付可能なようにピン７Ｂを突出して設けても良い。このようなピン７Ｂを単管継手６Ｂのピン穴６１Ｂに係合させることにより単管継手６Ｂを継ぎ足し、さらにこの単管手摺６Ｂに、同様のピンが設けられた単管パイプ（図示しない）を継ぎ足していくことにより、開口用養生用手摺１００Ｂの高さを高くすることができる。
【図面の簡単な説明】
【００２７】
【図１】第一の実施の形態に係る開口養生用手摺１００がコンクリート開口型枠２００に取り付けられた状態を示す外観斜視図である。
【図２】(a)は、開口養生用手摺１００の斜視図、(b)は、調節板３１とボルト３２とが溶接された状態を示した斜視図である。
【図３】第二の実施の形態に係る開口養生用手摺１００Ａがコンクリート開口型枠２００Ａに取り付けられた状態を示す外観斜視図である。
【図４】開口養生用手摺１００Ａの斜視図である。
【図５】開口養生用手摺１００Ｂの上端部及び単管継手６Ｂの斜視図である。
【符号の説明】
【００２８】
１，１Ａ  挟持具
２，２Ａ  手摺部
５，５Ａ  取っ手
１１，１１Ａ  第一の挟持板（挟持部）
１２，１２Ａ  第二の挟持板（挟持部）
３１，３１Ａ  調節板（調節部）
４１１，４１１Ａ  クランプ部材
１００，１００Ａ  開口養生用手摺
２００，２００Ａ  コンクリート開口型枠
２０２  外壁面
２０３  内壁面
２０４Ａ  上端面
２０５Ａ  下端面
Ｐ  足場用パイプ
【図１】
2007262731.tif 000003
【図２】
2007262731.tif 000004
【図３】
2007262731.tif 000005
【図４】
2007262731.tif 000006
【図５】
2007262731.tif 000007